(57)【要約】      （修正有）【課題】保護具取付け用の部材が設けられていない帽体に取付けることができる保護具を提供する。【解決手段】保護具１０は、装着者の顔面を覆うシールド本体２０と、連結部材４０を介して装着者の頭に着用される帽体１と係合してシールド本体を帽体に装着する一対の係合部３０（クリップ）とを備え、シールド本体は、横方向中央部に帽体の鍔３が貫通可能なスリット２１が設けられている。【選択図】図２
0003227886.tif 000002
【実用新案登録請求の範囲】
【請求項１】
装着者の顔面を覆うシールド本体と、
装着者の頭に着用される帽体と係合して前記シールド本体を帽体に装着する一対の係合部とを備え、
前記シールド本体は、横方向中央部に前記帽体の鍔が貫通可能なスリットが設けられている保護具。
【請求項２】
前記スリットは横長に形成され、横方向中央部が上方向に凸となる湾曲形状を有する、請求項１に記載の保護具。
【請求項３】
前記スリットは横方向に沿って直線状に形成されている請求項１に記載の保護具。
【請求項４】
前記係合部を前記シールド本体に取付けるための取付手段が、前記シールド本体の横方向両端部の上端部に設けられる、請求項１から３のいずれかに記載の保護具。
【請求項５】
前記係合部を前記シールド本体に取付けるための取付手段が、前記シールド本体の前記スリットの横方向両端側に設けられる、請求項１から３のいずれかに記載の保護具。
【請求項６】
前記取付手段は、前記係合部を取付けるための係止孔を備える、請求項４または５に記載の保護具。
【請求項７】
前記取付手段は、前記係合部を前記シールド本体に連結するための連結部材を備える請求項４から６のいずれかに記載の保護具。
【請求項８】
前記係合部は、一対の挟み片により前記帽体を挟持するクリップを備える、請求項１〜７のいずれかに記載の保護具。
【考案の詳細な説明】
【技術分野】
【０００１】
本考案は、装着者の顔面を覆う保護具に関する。
【背景技術】
【０００２】
唾液や体液などの飛沫の拡散防止や、花粉、防塵対策、顔面保護として、フェイスシールドと呼ばれる保護具が提案されている。例えば、特許文献１に記載の保護具は、装着者の顔面を両耳まで覆う大きさの保護面と、ヘルメットに着脱可能に取り付けられ、保護面をヘルメットに対して保持する保持部とを有している。保持部は、保護面の上側の縁に固定されている固定部材と、ヘルメットに取り付けられる２つの取付部材と、固定部材と取付部材とを回動可能に連結する第１、第２の各連結部材とを備えている。
【先行技術文献】
【特許文献】
【０００３】
【特許文献１】実用新案登録第３２２４６３５号公報
【考案の概要】
【考案が解決しようとする課題】
【０００４】
しかし、特許文献１に記載の発明においては、保護面は、ヘルメットに取り付けられている取付部材を用いてヘルメットに保持されている。このため、保護面は、取付部材が設けられたヘルメットにしか取付けることができず、取付部材が設けられていないヘルメットには取付けることができない。
【０００５】
本考案は、上記した課題に着目してなされたものであり、帽体に取付用の部材が設けられていなくても、帽体に取付けることのできる保護具を提供することを目的とする。
【課題を解決するための手段】
【０００６】
本考案による保護具は、装着者の顔面を覆うシールド本体と、装着者の頭に着用される帽体と係合して前記シールド本体を帽体に装着する一対の係合部とを備え、前記シールド本体には、前記帽体の鍔が貫通可能なスリットが設けられている。
【０００７】
上記の構成によれば、係合部により帽体にシールド本体を取付けるので、帽体に取付用の部材が設けられていない場合であっても、帽体に保護具を取付けることができる。また、帽体の鍔が貫通するスリットがシールド本体に設けられているため、保護具を帽体に取付ける際に鍔が邪魔にならず、シールド本体を顔に近い位置となるように保護具を取付けることが可能となる。さらに係合部が任意の位置で帽体と係合することで、シールド本体と顔との距離を調整することができる。
【０００８】
前記スリットは横長に形成され、横方向中央部が上方向に凸となる湾曲形状を有していてもよい。
【０００９】
前記スリットは横方向に沿って直線状に形成されていてもよい。
【００１０】
前記係合部を前記シールド本体に取付けるための取付手段が、前記シールド本体の横方向両端部の上端部に設けられていてもよい。
【００１１】
前記係合部を前記シールド本体に取付けるための取付手段が、前記シールド本体の前記スリットの横方向両端側に設けられていてもよい。
【００１２】
前記取付手段は、前記係合部を取付けるための係止孔を備えていてもよい。
【００１３】
前記取付手段は、前記係合部を前記シールド本体に連結するための連結部材を備えていてもよい。
【００１４】
前記係合部は、一対の挟み片により前記帽体を挟持するクリップを備えていてもよい。
【考案の効果】
【００１５】
本考案によれば、保護具取付け用の部材が設けられていない帽体に保護具を取付けることができる。
【図面の簡単な説明】
【００１６】
【図１】本考案の一実施形態に係る保護具の正面図である。
【図２】保護具を帽体に装着した状態を示す斜視図である。
【図３】クリップの側面図である。
【図４】（Ａ）はシールド本体へのクリップの取付を説明するための拡大斜視図であり、（Ｂ）はクリップが帽体本体に係合した状態を示す拡大斜視図である。
【図５】本考案の他の実施形態に係る保護具の正面図である。
【図６】本考案の他の実施形態に係る保護具の正面図である。
【図７】保護具を帽体に装着した状態を示す斜視図である。
【図８】本考案の他の実施形態に係る保護具の正面図である。
【図９】保護具を帽体に装着した状態を示す斜視図である。
【図１０】クリップの斜視図である。
【図１１】本考案の他の実施形態に係る保護具の正面図である。
【図１２】保護具を帽体に装着した状態を示す斜視図である。
【考案を実施するための形態】
【００１７】
本考案の実施形態を図面を参照して説明する。本考案の保護具１０は、装着者の頭に着用される帽体１に装着されるものである。帽体１は、頭部を覆う半球状の帽体本体２と、帽体本体２の開口端部から外側に突出して設けられた鍔３とを備えている。帽体１は、装着者の頭に着用されるものであれば限定されないが、例えば帽子やヘルメットである。なお、以下の説明においては、特に指定しない限り、帽体１をかぶった装着者の顔が向く方向を前方向または前側、前側と反対側を後側という。
【００１８】
図１〜図４に本考案の一実施形態の保護具１０を示す。本実施形態の保護具１０は、特に、図２に示すいわゆる野球帽と呼ばれる、帽体本体２の一部に鍔３が設けられた帽体１に好適に取付けられるものである。図２の帽体１は、鍔３が設けられた側を正面として帽体１を正面から見た場合に、鍔３の形状が横方向中央部３ａにおいて上側に凸になる湾曲形状を有している。なお、本実施形態の保護具１０が取付けられる帽体１は上記に限定されない。
【００１９】
図１に示すように、保護具１０は、装着者の顔面を覆うシールド本体２０と、装着者の頭に着用される帽体１と係合して前記シールド本体２０を帽体１に装着する一対の係合部とを備えている。本実施形態では、係合部としてクリップ３０を備えている。なお、図１においては、説明のために、一対のクリップ３０と、各クリップ３０をシールド本体２０に連結する連結部材４０とは一方を実線で示し、他方を二重鎖線で示している。図６においても同様である。
【００２０】
シールド本体２０は、厚さ０．２ｍｍ程度の可撓性のある薄いシート材を打ち抜いて形成されている。シート材の材料として、例えばポリカーボネートやアクリルが挙げられるが、これに限定されない。シールド本体２０は、少なくとも保護具１０の装着者の視界の範囲においてシールド本体２０を通して外部を視認できる程度に透光性を有するものであり、本実施形態では、装着者の視界が明瞭となるようにシールド本体２０全体を略無着色の透明としている。なお、シールド本体２０は着色されていてもよい。これによりシールド本体２０を通過する光の強度が減少して装着者が感じる光のまぶしさを低減することができる。また、シールド本体２０は抗菌加工、滅菌加工されていてもよく、紫外線をカットする機能を有していてもよい。さらに、シールド本体２０の装着者の視界に邪魔にならない部分、例えばスリット２１（後述）よりも上側の部分に、透明または不透明の模様やマーク、文字等が印刷されていてもよい。
【００２１】
シールド本体２０が透明の場合には、シールド本体２０の両面のいずれの面を前側（外側）、後側（顔と対向する側）としてもよいが、模様やマーク、文字、文字等が印刷されている場合は、これらの印刷部分が外から視認できるようにシールド本体２０の前後方向が定められて帽体１に取付けられる。
【００２２】
図１に示すように、シールド本体２０は、上端縁２０ａ及び側端縁２０ｂ、２０ｃは直線状に形成され、下端縁２０ｄは下に凸となるように湾曲形状に形成されている。シールド本体２０の横方向の長さＬ１は、シールド本体２０が帽体１に取付けられたときにその両端部が装着者の耳の手前に位置する程度の長さに設定されており、本実施形態では約３４ｃｍとしている。シールド本体２０の横方向中央部における上下方向の長さＬ２は、保護具１０を取付けた帽体１を装着者が装着したときにシールド本体２０により少なくとも装着者の口を覆う程度の長さであって、装着者が下を向いたときにシールド本体２０の下端縁２０ｄが胸に当たらない程度の長さに設定されており、本実施形態では約２２ｃｍとしている。シールド本体２０の上部の角部２０ｅは面取りされている。
【００２３】
シールド本体２０は、図１における横方向の中央部であって上下方向の上側部分に、帽体１の鍔３が貫通可能な開口であるスリット２１が設けられている。スリット２１は帽体１の鍔３の形状に沿った形状を有している。本実施形態では、スリット２１は横長に形成されており、その中央部２２が上方向に凸となる湾曲形状を有し、両端部２３が横方向に対してわずかに上向きに湾曲した形状を有している。スリット２１の横方向の長さＬ３は、帽体１である野球帽の一般的な鍔３の幅（帽体１を正面から見た場合に、鍔３の横方向の長さ）よりも若干長く設定されており、本実施形態では鍔３の大きさに合わせて約２０ｃｍに設定されている。スリット２１の上下方向の長さＬ４、すなわち、スリット２１の最も上の位置と最も下の位置との間の長さは約３ｃｍに設定されている。また、スリット２１の幅Ｌ５は、帽体１の鍔３が貫通できるように一般的な帽体１の鍔３の厚みよりも若干長く形成されており、本実施形態では約０．５ｃｍに設定されている。
【００２４】
なお、シールド本体２０のサイズ（Ｌ１、Ｌ２）や厚み、スリット２１の大きさや幅（Ｌ３〜Ｌ５）は本実施形態に限定されるものではなく、顔のサイズや帽体１の大きさ、鍔３の大きさに合わせて適宜設定される。例えば、子供用の保護具１０の場合には子供用の帽体１や顔のサイズに合わせて、シールド本体２０のサイズやスリット２１の長さや幅が適宜設定される。またシールド本体２０の形状も本実施形態に限定されず、少なくとも装着者の顔の目、鼻、口を覆うことができればいずれの形状でもよい。
【００２５】
例えば、図５の形態では、スリット２１の上下方向の長さＬ４を図１に示す実施形態よりも短く設定している。図５の形態の保護具１０を取付ける帽体１が、図２に示す帽体１よりも鍔３の湾曲が上下方向に小さい形状を有するか、図６に示すように帽体１を正面から見た場合に鍔３の形状が直線形状を有する場合、鍔３をスリット２１に挿通しやすくなる。  
【００２６】
シールド本体２０の横方向両端部の上端部には、それぞれ、係合部を取付けるための取付孔である第１取付孔２４Ａと第２取付孔２４Ｂとが、横方向に並んで形成されている。第１取付孔２４Ａは開口が上下方向に長い矩形状の孔であり、後述する帯状の連結部材４０が貫通可能な大きさに設定されている。第２取付孔２４Ｂは第１取付孔２４Ａよりも横方向に外側に位置し、開口が円形状の孔であり、連結部材４０のスナップボタン４１Ｂの凸部（後述）が挿通可能な大きさに設定されている。
【００２７】
係合部は、帽体１の帽体本体２または鍔３の端部にシールド本体２０を係止するためのものであり、帽体１に係合部を設けずとも保護具１０に設けられた係合部のみでシールド本体２０を帽体１の帽体本体２または鍔３の端部を係止できるものである。係合部として、例えば既知のクリップが用いられる。本実施形態のクリップ３０は、図３、図４に示すように、先端部が互いに近接、離反可能な一対の挟み片３１Ａ、３１Ｂを備えており、帽体１の帽体本体２または鍔３の端部を一対の挟み片３１Ａ、３１Ｂの間に挟んで挟持するものである。さらに、本実施形態のクリップ３０には、一方の挟み片３１Ａの外側に押し片３２が設けられている。押し片３２の基端部は、他方の挟み片３１Ｂから立設した一対の支持部３１ａに回動自由に軸支されている。押し片３２の基端部には、一方の挟み片３１Ａを押しつけるための突出部３２ａが設けられている。
【００２８】
押し片３２を図３、図４（Ａ）に示す開いた状態から、回動させて図４（Ｂ）に示すように一方の挟み片３１Ａに重なるように倒伏姿勢とすると、押し片３２の突出部３２ａにより一方の挟み片３１Ａが他方の挟み片３１Ｂに向けて押しつけられ、一対の挟み片３１Ａ、３１Ｂの間に帽体本体２または鍔３の端部が挟持される。
【００２９】
係合部はクリップ３０に限定されず、例えば、安全ピンであってもよく、着脱可能にシールド本体２０を帽体１に係止できるような接着剤であってもよい。
【００３０】
シールド本体２０とクリップ３０とは連結部材４０により連結される。連結部材４０は、ポリ塩化ビニル、ポリスチレン、ポリプロピレン、ポリエチレン等の可撓性のあるプラスチック素材から形成され、図３に示すように、帯状を呈している。連結部材４０の一方の端部４０ａはクリップ３０の一方の挟み片３１Ａの先端部にハトメ等（図示せず）により回動自由に取付けられている。他方の端部４０ｂには、雄雌で一対のスナップボタン４１Ａ、４１Ｂのうちの雌ボタン４１Ａが取付けられており、雌ボタン４１Ａが取けられた面と同じ面であって、連結部材４０の長さ方向中央よりも一方の端部４０ａ寄りの位置に、雄ボタン４１Ｂが取り付けられている。連結部材４０をシールド本体２０に取付けるには、まず、シールド本体２０の前側の面側から、他方の端部４０ｂを第１取付孔２４Ａに挿通し、一対のスナップボタン４１Ａ、４１Ｂの間の位置で折り返す。雄ボタン４１Ｂの凸部をシールド本体２０の前側の面側から第２取付孔２４Ｂに挿通させて後側の面上に突出させ、雌ボタン４１Ａの凹部と嵌め合わす。このように連結部材４０をシールド本体２０に取付けることで、クリップ３０がシールド本体２０の横方向外側に位置する。
【００３１】
連結部材４０、第１取付孔２４Ａ及び第２取付孔２４Ｂは、係合部であるクリップ３０をシールド本体２０に取付けるための取付手段を構成する。なお、取付手段は連結部材４０、第１取付孔２４Ａ及び第２取付孔２４Ｂに限定されず、係合部をシールド本体２０に取付けることができればいずれの手段であってもよく、例えば、接着剤であってもよく、熱溶着等の手段であってもよい。
【００３２】
保護具１０を帽体１に取付けるには、図１に示すように、シールド本体２０のスリット２１に帽体１の鍔３を通し、クリップ３０を、一対の挟み片３１Ａ、３１Ｂの先端部が上側を向くように回動させて、一対の挟み片３１Ａ、３１Ｂの間に帽体本体２の端部を挟持する。このとき、シールド本体２０は帽体本体２の周方向に沿うように湾曲する。このようにして保護具１０が帽体１に取付けられる。なお、係合部を鍔３の端部に取付けてもよい。
【００３３】
本実施形態の保護具１０によれば、保護具１０に設けられた係合部を用いて帽体１にシールド本体２０を取付けるので、取付用の部材が設けられていない帽体１にも保護具１０を取付けることができる。また、シールド本体２０にスリット２１が設けられているため、保護具１０を帽体１に取付ける際に帽体１の鍔３をスリット２１に貫通させることで、保護具１０を帽体１に取付ける際に鍔３が邪魔にならず、シールド本体２０を顔側に近づくように保護具１０を取付けることが可能である。係合部による帽体１への取付位置を変化させることでシールド本体２０と顔との距離を調整することができる。
【００３４】
また、スリット２１は横長に形成され、中央部２２が上方向に凸となる湾曲形状を有しているため、帽体１の鍔３の正面形状が上方向に凸となる湾曲形状を有している場合には、スリット２１に鍔３を挿入しやすい。さらに、係合部をクリップ３０としているため、ワンタッチで帽体１に保護具１０を取付けることができる。また、連結部材４０に対して係合部を回動可能に取付けているため、係合部の先端を上向きとすることができ、係合部が帽体本体２の端部を下側から係合することができる。
【００３５】
図６、図７は本考案の他の実施形態を示す。本実施形態の保護具１０は、いわゆる野球帽と呼ばれる帽体１であって、図７に示すように、帽体１を正面から見た場合に鍔３の形状が直線形状を有し、上方向に湾曲していない帽体１に好適に取付けられる。なお、本実施形態の保護具１０が取付けられる帽体１は上記に限定されない。
【００３６】
本実施形態の保護具１０は、シールド本体２０のスリット２１の形状が図１の実施形態とは異なっている。スリット２１は、開口が図６に示すように横方向に沿って直線状に形成されている。スリット２１の横方向の長さＬ３は帽体１である野球帽の一般的な鍔３の幅よりも若干長く設定されており、本実施形態では鍔３の大きさに合わせて、第１取付孔２４Ａ間の距離と略同じ長さである約２５ｃｍに設定されている。なお、長さＬ３は本実施形態限定されず、保護具１０が取付けられる帽体１の鍔３の幅に合わせて適宜設定される。
【００３７】
スリット２１は横方向に沿って直線状に形成されているため、帽体１の鍔３が横方向に沿って直線状に形成されている場合に、スリット２１に鍔３を挿入しやすい。
【００３８】
その他の構成及び効果については、図１の実施形態と同様であるため、対応する部分に同一の符号を付して説明を省略する。
【００３９】
図８〜図１０は本考案の他の実施形態を示す。本実施形態の保護具１０は、例えば、図９に示すいわゆるキャスケットの帽体１に取付けられる。この帽体１は、帽体１を正面から見た場合に、鍔３が上側に凸になる湾曲形状を有しており、鍔３は基端側から先端側（前側）に向かうにつれて下向きに設けられている。なお、本実施形態の保護具１０が取付けられる帽体１は上記に限定されない。
【００４０】
本実施形態の保護具１０は、係合部を構成するクリップ１３０の構成、シールド本体２０の取付手段である取付孔２４Ａ、２４Ｂの形状、シールド本体２０の横方向の長さＬ１が図１の実施形態とは異なっている。
【００４１】
係合部を構成するクリップ１３０は、図１０に示すように、クリップ１３０の側面の形状が略Ｕ字形状であり、対向する一対の挟み片１３１Ａ、１３１Ｂと、一対の挟み片１３１Ａ、１３１Ｂの基端部同士を連結する連結部１３２とを備えている。クリップ１３０は、一例としてナイロンなどのポリマーの合成樹脂により一体成形された単一部品である。連結部１３２が有するバネ作用により挟み片１３１Ａ、１３１Ｂは互いに近接する方向に付勢されている。一方の挟み片１３１Ａの先端部１３１ａは折り曲げられて、付勢された状態で他方の挟み片１３１Ｂに当接する。なお、係合部の構成は上記に限定されず、帽体１を係合できればいずれの構成でもよい。
【００４２】
図８に示すように、シールド本体２０の第１取付孔１２４Ａ及び第２取付孔１２４Ｂは、スリット２１の横方向両端側の位置に設けられている。第１取付孔１２４Ａは、その開口が横方向外側に向かうにつれて上位置となる斜め方向に長い矩形状である。第１取付孔１２４Ａの大きさは、クリップ３０の挟み片３１Ａ、３１Ｂが挿入可能な大きさに設定されている。第２取付孔１２４Ｂは第１取付孔１２４Ａと同一形状であって、第１取付孔１２４Ａと所定の間隔を開けて第１取付孔１２４Ａに平行に設けられている。第１取付孔１２４Ａ及び第２取付孔１２４Ｂは、係合部の取付手段を構成する。なお、第１取付孔１２４Ａ及び第２取付孔１２４Ｂは、係合部を挿通できればいずれの形状でもよい。
【００４３】
本実施形態においては、図９に示すように帽体１の鍔３をクリップ１３０により係合するため、シールド本体２０の横方向の長さＬ１は、図１のような帽体本体２の端部を係合する形態における長さＬ１よりも若干短く設定されている。なお、長さＬ１は本実施形態に限定されず、装着者の顔を覆うことができれば任意の長さに設定されてもよい。
【００４４】
シールド本体２０の前側の面から第１取付孔１２４Ａ及び第２取付孔１２４Ｂにクリップ１３０の各挟み片１３１Ａ、１３１Ｂを挿通することで、クリップ１３０の連結部１３２が、シールド本体２０の第１取付孔１２４Ａ及び第２取付孔１２４Ｂの間の部分に当接して抜け止め状態となり、クリップ１３０がシールド本体２０に取付けられる。このとき、各挟み片１３１Ａ、１３１Ｂは、シールド本体２０の後面に直交する方向に突出する。なお、図８においては、説明のために一対のクリップ１３０は一方を実線で示し、他方を二重鎖線で示している。図１１においても同様である。
【００４５】
保護具１０を帽体１に取付けるには、図９に示すように、シールド本体２０のスリット２１に帽体１の鍔３を通すとともに、クリップ１３０の一対の挟み片１３１Ａ、１３１Ｂを押し開いて鍔３の基端に近い端部を挟持する。
【００４６】
本実施形態によれば、クリップ１３０が連結部材４０を用いずに直接シールド本体２０に取付けられおり、取付手段が係止孔１２４Ａ、１２４Ｂのみで構成されるため、保護具１０を帽体１に取付けた時に取付手段が目立たず、美感が向上する。また、クリップ１３０は各挟み片１３１Ａ、１３１Ｂがシールド本体２０の後面から後面に直交する方向に突出するので、鍔３の端部を挟持しやすい。また、第１取付孔１２４Ａ及び第２取付孔１２４Ｂは外側に向かうにつれて上位置となる斜め方向に設けられているため、クリップ１３０も斜め方向に傾いて第１取付孔１２４Ａ及び第２取付孔１２４Ｂに取付られる。図８のような鍔３が先端側に向かうにつれて下向きとなるように設けられた帽体１の場合には、クリップ１３０の傾きが鍔３の傾きに沿い、クリップ１３０が鍔３の端部に取付けやすくなる。
【００４７】
その他の構成及び効果については、図１の実施形態と同様であるため、対応する部分に同一の符号を付して説明を省略する。
【００４８】
図１１、図１２は本考案の他の実施形態を示す。本実施形態の保護具１０は、例えば、図１２に示すいわゆるハット型の帽体１に取付けられる。この帽体１は鍔３が帽体本体２の周囲の全長に亘って設けられており、鍔３は帽体本体１の端部から上下方向に傾かずに伸びており、野球帽やキャスケットよりも鍔の突出長さが短く形成されている。なお、本実施形態の保護具１０が取付けられる帽体１は上記に限定されない。
【００４９】
本実施形態の保護具１０は、係合部であるクリップ１３０の構成と、シールド本体２０のスリット２１の形状と、シールド本体２０の取付手段である取付孔２２４Ａ、２２４Ｂの形状及び位置が図１の実施形態とは異なっている。係合部であるクリップ１３０の構成は、図８に示す実施形態で用いられる図１０のクリップ１３０と同様であるため、対応する部分に同一の符号を付して説明を省略する。
【００５０】
スリット２１は、図１１に示すように横方向に沿って直線状に形成されている。スリット２１の横方向の両側であって、シールド本体２０の側縁に近い位置には、第１取付孔２２４Ａ及び第２取付孔２２４Ｂが形成されている。第１取付孔２２４Ａは開口が横方向に長い矩形状の孔であり、クリップ１３０の挟み片１３１Ａ、１３１Ｂが貫通可能な大きさに設定されている。第２取付孔２２４Ｂは第１取付孔２２４Ａと同一形状であって、第１取付孔２２４Ａの下側に所定の間隔を開けて第１取付孔２２４Ａに平行に設けられている。なお、スリット２１の横方向の長さＬ３は本実施形態限定されず、保護具１０が取付けられる帽体１の鍔３の幅に合わせて適宜設定される。また、第１取付孔２２４Ａ及び第２取付孔２２４Ｂは、係合部を挿通できればいずれの形状でもよい。
【００５１】
シールド本体２０の前側の面から第１取付孔２２４Ａ及び第２取付孔２２４Ｂにクリップ１３０の各挟み片１３１Ａ、１３１Ｂを挿通することで、クリップ１３０の連結部１３２が、シールド本体２０の第１取付孔２２４Ａ及び第２取付孔２２４Ｂの間の部分に当接して抜け止め状態となり、クリップ１３０がシールド本体２０に取付けられる。
このとき、各挟み片１３１Ａ、１３１Ｂは、シールド本体２０の後面に直交する方向に突出する。
【００５２】
保護具１０を帽体１に取付けるには、図１２に示すように、シールド本体２０のスリット２１に帽体１の鍔３を通すとともに、クリップ１３０の一対の挟み片１３１Ａ、１３１Ｂを押し開いて鍔３の端部に挟み込み、クリップ１３０を取付ける。
【００５３】
本実施形態によれば、クリップ１３０が連結部材４０を用いずに直接シールド本体２０に取付けられているので、取付手段が係止孔２２４Ａ、２２４Ｂのみで構成されるため、保護具１０を帽体１に取付けた時に取付手段が目立たたず、美感が向上する。また、クリップ１３０は各挟み片１３１Ａ、１３１Ｂがシールド本体２０の後面に直交する方向に突出するので、鍔３の端部を挟持しやすい。また、第１取付孔２２４Ａ及び第２取付孔２２４Ｂは横方向に沿って設けられているため、クリップ１３０も上下に斜め方向に傾かずに横方向に取付られる。図１２のような鍔３が上下に傾かずに設けられる帽体１の場合には、クリップ１３０の傾きが鍔３の傾きに沿い、クリップ１３０が鍔３の端部に取付けやすくなる。
その他の構成及び効果については、図１の実施形態と同様であるため、対応する部分に同一の符号を付して説明を省略する。
【００５４】
以上、本考案の一実施形態について説明したが、本考案は上記実施形態に限定されるものではなく、本考案の趣旨を逸脱しない限りにおいて種々の変更が可能である。
【符号の説明】
【００５５】
１  帽体
２  帽体本体
３  鍔
１０  保護具
２０  シールド本体
２１  スリット
２４Ａ、２４Ｂ、１２４Ａ、１２４Ｂ、２２４Ａ、２２４Ｂ  取付孔（取付手段）
３０、１３０  クリップ（係合部）
３１Ａ、３１Ｂ  挟み片
４０  連結部材（取付手段）
【図１】
0003227886.tif 000003
【図２】
0003227886.tif 000004
【図３】
0003227886.tif 000005
【図４】
0003227886.tif 000006
【図５】
0003227886.tif 000007
【図６】
0003227886.tif 000008
【図７】
0003227886.tif 000009
【図８】
0003227886.tif 000010
【図９】
0003227886.tif 000011
【図１０】
0003227886.tif 000012
【図１１】
0003227886.tif 000013
【図１２】
0003227886.tif 000014